(57)【要約】      （修正有）【課題】バッテリを充電する度に生じる累積的損壊を避けられるとともに、ワイヤレス充放電効率及び昇降圧効率を向上させることも可能な双方向ワイヤレス充放電装置を提供する。【解決手段】ワイヤレス受取・発射手段２と、該回路装置とワイヤレス受取・発射手段との間に電気的に接続された論理制御手段１と、昇圧・降圧手段３と、第１、第２の逆流防止器４，４ａと、制御スイッチ５と、少なくとも１つの電気二重層コンデンサとを含む。第１、第２の逆流防止器は、逆流防止及びスイッチングの役割を有し、昇圧・降圧手段は、放電時の昇圧及び充電時の降圧を制御し、論理制御手段は、ワイヤレス受取・発射手段の相手側に負荷を有するか否かを検出するとともに、昇圧・降圧手段と第１、第２の逆流防止器の動作を制御し、さらに、制御スイッチと合わせて放電や充電を制御でき、電気二重層コンデンサ６は、充電をする度に生じるサージを吸収する。【選択図】図１
0003174449.tif 000002
【実用新案登録請求の範囲】
【請求項１】
受電端とバッテリとが電気的に接続された回路装置を有する携帯型電子機器に適用される双方向ワイヤレス充放電装置であって、
複数のピンを有する論理制御手段と、
伝送端子と、前記論理制御手段のセンシングピンに電気的に接続された被検出端子とを有するワイヤレス受取・発射手段と、
第１の調圧端子と、前記ワイヤレス受取・発射手段の伝送端子に電気的に接続された第２の調圧端子と、前記論理制御手段の第１、第２の制御ピンにそれぞれ電気的に接続された２つの制御端子とを有し、前記の互いに接続された第２の調圧端子と前記伝送端子とに前記論理制御手段の電源ピンが電気的に接続された昇圧・降圧手段と、
前記バッテリの放電端と前記昇圧・降圧手段の第１の調圧端子とにそれぞれ電気的に接続された入口端及び出口端と、前記論理制御手段の第３の制御ピンに電気的に接続された制御端部とを有する第１の逆流防止器と、
一方の端が前記バッテリの放電端に電気的に接続され、他方の端が前記第１の逆流防止器の制御端部と前記論理制御手段の第３の制御ピンとに電気的に接続された制御スイッチと、
前記回路装置の受電端と前記昇圧・降圧手段の第１の調圧端子とにそれぞれ電気的に接続された出口端及び入口端と、前記論理制御手段の第５の制御ピンに電気的に接続された制御端部とを有する第２の逆流防止器と、
一方の電極が前記回路装置の受電端と前記第２の逆流防止器の出口端との接続箇所に電気的に接続され、そこで第１のノードを形成し、他方の電極がアースに接続された第１の電気二重層コンデンサとを含むことを特徴とする双方向ワイヤレス充放電装置。
【請求項２】
さらに、前記バッテリに並列に接続された第２の電気二重層コンデンサを含むことを特徴とする請求項１に記載の双方向ワイヤレス充放電装置。
【請求項３】
前記回路装置は、前記バッテリと受電端との間に電気的に接続された保護回路を有することを特徴とする請求項１に記載の双方向ワイヤレス充放電装置。
【請求項４】
前記昇圧・降圧手段は、同期整流方式の昇圧・降圧手段であり、且つ、金属酸化膜半導体電界効果トランジスタ（Metal-Oxide-Semiconductor Field-Effect Transistor；MOSFET）型同期整流であることを特徴とする請求項１に記載の双方向ワイヤレス充放電装置。
【請求項５】
前記同期整流方式の昇圧・降圧手段は、インダクタンスと、互いに同方向で直列に接続された２つのMOSFETとを有し、前記２つのMOSFETは１つの制御電極をそれぞれ有し、前記２つの制御電極が前記昇圧・降圧手段の２つの制御端子にそれぞれ電気的に接続され、直列に接続された前記２つのMOSFETの一方の端子が前記第２の調圧端子に電気的に接続され、他方の端子がアースに接続され、前記インダクタンスの一方の端子が前記第１の調圧端子に電気的に接続され、他方の端子が前記２つのMOSFETの間に電気的に接続されたことを特徴とする請求項４に記載の双方向ワイヤレス充放電装置。
【請求項６】
さらに、第３の逆流防止器を含み、前記第３の逆流防止器は、入口端と、出口端と、制御端部とを有し、前記出口端及び入口端が前記回路装置の受電端と第１のノードとにそれぞれ電気的に接続され、前記制御端部が前記論理制御手段の第６の制御ピンに電気的に接続されたことを特徴とする請求項１に記載の双方向ワイヤレス充放電装置。
【請求項７】
前記逆流防止器のそれぞれは、第１の抵抗と、互いに対向して直列に接続された２つのMOSFETとを有し、直列に接続された前記２つのMOSFETの両端は、前記逆流防止器の入口端と出口端であり、前記２つのMOSFETは、それぞれ、１つの制御電極を有し、前記２つの制御電極が前記逆流防止器の制御端部に電気的に接続され、前記第１の抵抗の一方の端が前記２つのMOSFETの間に電気的に接続され、他方の端も前記逆流防止器の制御端部に電気的に接続されたことを特徴とする請求項６に記載の双方向ワイヤレス充放電装置。
【請求項８】
前記逆流防止器のそれぞれは、トランジスタと、第２の抵抗とをさらに有し、前記トランジスタの第１電極が前記２つのMOSFETの制御電極に電気的に接続され、前記トランジスタの第２電極がアースに接続され、前記第２の抵抗が前記トランジスタの第３電極と前記逆流防止器の制御端部との間に電気的に接続されたことを特徴とする請求項７に記載の双方向ワイヤレス充放電装置。
【請求項９】
前記論理制御手段の第４の制御ピンがさらにループ方式で第３の制御ピンに電気的に接続されたことを特徴とする請求項１に記載の双方向ワイヤレス充放電装置。
【請求項１０】
前記制御スイッチは、自動復帰型スイッチであることを特徴とする請求項１に記載の双方向ワイヤレス充放電装置。
【考案の詳細な説明】
【技術分野】
【０００１】
本考案は、双方向ワイヤレス充放電装置に関し、特に、バッテリを充電する度に生じる累積的損壊を避けることができるとともに、ワイヤレス充放電効率及び昇降圧効率を向上させることができる携帯型電子機器の双方向ワイヤレス充放電装置に関する。
【背景技術】
【０００２】
ワイヤレス充電が盛んに行われることに伴い、将来、どこでもワイヤレス充電可能になるような状態が実現されるであろう。
【０００３】
どこもワイヤレス充電が可能であることは、大きな利便性を齎すが、ケーブル充電もワイヤレス充電も、何れも、充電の始めに生じるサージがバッテリに損壊を累積的に与えるはずである。そのため、バッテリの寿命が減って行くようになり、言い換えれば、充電回数が増えれば、バッテリの寿命も短くなり、バッテリの充放電の効率も悪くなる一方である。
【０００４】
どこもワイヤレス充電可能な場合では、人々の活動領域内において複数のワイヤレス充電場所が同時に存在するはずで、もしくは、人々が同一のワイヤレス充電場所に複数回に出入りし、そうすることで、所持する携帯型電子機器が一日の内に差別なく複数回ワイヤレス充電され、携帯型電子機器に内蔵するバッテリの寿命が短くなってしまう。
【０００５】
次に、今なおもワイヤレス充放電の効率が低く、すなわち、放電量が充電量より高く、さらに昇降圧効率が低いということを加え、ワイヤレス充放電の実用性を向上させ難いことは、以前から指摘されてきた。
【考案の概要】
【考案が解決しようとする課題】
【０００６】
そのため、バッテリを充電する度に生じる累積的損壊を避けられるとともに、ワイヤレス充放電効率及び昇降圧効率を向上させることも可能な本考案は、どうすれば設計できるのかが、本考案の創作者が解決しようとする大きな課題である。
【０００７】
本考案は、電気二重層コンデンサの特別な設置位置と電気二重層コンデンサのインピーダンスがバッテリより低いとのことで、充電された時に電気二重層コンデンサを先に充電でき、充電する度に生じるサージを電気二重層コンデンサで遮断することにより、バッテリを充電する度に生じる累積的損壊を避けられ、第１、第２の逆流防止器の逆流防止役割により、漏電が避けられ、省電力の効果を有する双方向ワイヤレス充放電装置を提供することを１つの目的とする。
【０００８】
本考案は、昇圧・降圧手段が同期整流方式の昇圧・降圧手段（金属酸化膜半導体電界効果トランジスタ（MOSFET；以下にMOSFETとも称する）型同期整流が好ましい）であることにより、昇降圧の効率を向上させる双方向ワイヤレス充放電装置を提供することを次の目的とする。
【０００９】
本考案は、前記第１〜第３の逆流防止器も、第１、第２のMOSFETを逆流防止として用い、またはスイッチの重要な部材とすることにより、オンの際に消費された電気が低くなるので、放電効率が高くなり、ワイヤレス充放電効率を向上させる双方向ワイヤレス充放電装置を提供することを３つ目の目的とする。
【００１０】
本考案は、双方向ワイヤレス充放電型であるため、本考案の双方向ワイヤレス充放電装置が設けられた携帯型電子機器が、ワイヤレス充電やワイヤレス放電の何れも可能となる双方向ワイヤレス充放電装置を提供することを４つ目の目的とする。
【課題を解決するための手段】
【００１１】
前記目的を達成するため、本考案による双方向ワイヤレス充放電装置は、受電端とバッテリとが接続された回路装置を有する携帯型電子機器に適用される双方向ワイヤレス充放電装置であって、論理制御手段と、ワイヤレス受取・発射手段と、昇圧・降圧手段と、第１の逆流防止器と、第２の逆流防止器と、制御スイッチと、第１の電気二重層コンデンサとを含む。前記論理制御手段は、複数のピンを有し、前記ワイヤレス受取・発射手段は、伝送端子と、前記論理制御手段のセンシングピンに電気的に接続された被検出端子とを有し、前記昇圧・降圧手段は、第１の調圧端子と、前記ワイヤレス受取・発射手段の伝送端子に電気的に接続された第２の調圧端子と、前記論理制御手段の第１、第２の制御ピンにそれぞれ電気的に接続された２つの制御端子とを有し、前記の互いに接続された第２の調圧端子と前記伝送端子とに前記論理制御手段の電源ピンが電気的に接続され、前記第１の逆流防止器は、入口端と、出口端と、制御端部とを有し、入口端及び出口端が前記バッテリの放電端と前記昇圧・降圧手段の第１の調圧端子とにそれぞれ電気的に接続され、前記制御端部が前記論理制御手段の第３の制御ピンに電気的に接続され、前記制御スイッチの一方の端が前記バッテリの放電端に電気的に接続され、他方の端が前記第１の逆流防止器の制御端部と前記論理制御手段の第３の制御ピンとに電気的に接続され、前記第２の逆流防止器は、入口端と、出口端と、制御端部とを有し、出口端及び入口端が前記回路装置の受電端と前記昇圧・降圧手段の第１の調圧端子とにそれぞれ電気的に接続され、前記制御端部が前記論理制御手段の第５の制御ピンに電気的に接続され、前記第１の電気二重層コンデンサの一方の電極が前記回路装置の受電端と前記第２の逆流防止器の出口端との接続箇所に電気的に接続され、そこで第１のノードを形成し、他方の電極がアースに接続された。
【００１２】
よって、充電する度に生じるサージを電気二重層コンデンサで遮断することにより、バッテリを充電する度に生じる累積的損壊を避けられ、さらに、第１、第２の逆流防止器の逆流防止役割により、漏電が避けられ、省電力の効果を有する。
【００１３】
また、本考案は、さらに、昇圧・降圧手段が同期整流方式の昇圧・降圧手段（金属酸化膜半導体電界効果トランジスタ型同期整流が好ましい）であることにより、昇降圧の効率を向上させる双方向ワイヤレス充放電装置を提供する。
【００１４】
本考案の特徴、特点及び技術内容のさらに深い了解は、以下の本考案に係る詳細説明及び添付図面を参照すれば得られるが、前記添付図面は参考や説明としてのみ提供されるものであり、本考案を局限するものではない。
【図面の簡単な説明】
【００１５】
【図１】本考案による携帯型電子機器に接続された双方向ワイヤレス充放電装置の第１実施例の回路図である。
【図２】本考案の図１による等価回路ブロック図である。
【図３】本考案による第２実施例の等価回路ブロック図である。
【考案を実施するための形態】
【００１６】
本考案は、携帯型電子機器の双方向ワイヤレス充放電装置を提供し、図１〜図２は、本考案による第１実施例を示し、図３は、本考案による第２実施例を示す。
【実施例１】
【００１７】
図２に示す本考案による第１実施例は、回路装置９１を有する携帯型電子機器９に適用され、回路装置９１には受電端９２１とバッテリ９３とが電気的に接続され、回路装置９１は、受電端９２１とバッテリ９３との間に電気的に接続された保護回路９２をさらに有するのがより好ましい。双方向ワイヤレス充放電装置は、論理制御手段１と、ワイヤレス受取・発射手段２と、昇圧・降圧手段３と、第１の逆流防止器４と、第２の逆流防止器４ａと、制御スイッチ５と、第１の電気二重層コンデンサ６とを含み、さらに、第３の逆流防止器４ｂと、第２の電気二重層コンデンサ（図示せず）とを含むのがより好ましい。
【００１８】
論理制御手段１は、第１〜第６の制御ピン１１〜１６と、電源ピン１７と、センシングピン１８とを有し、符号を示されないピンはアースピンである。
【００１９】
ワイヤレス受取・発射手段２は、伝送端子２１と、被検出端子２２とを有し、被検出端子２２が論理制御手段１のセンシングピン１８に電気的に接続されている。
【００２０】
昇圧・降圧手段３は、第１の調圧端子３１と、第２の調圧端子３２と、２つの制御端子３３、３４とを有し、第２の調圧端子３２がワイヤレス受取・発射手段２の伝送端子２１に電気的に接続され、２つの制御端子３３、３４が論理制御手段１の第１、第２の制御ピン１１、１２にそれぞれ電気的に接続され、論理制御手段１の電源ピン１７が互いに接続された第２の調圧端子３２と伝送端子２１とに電気的に接続されている。昇圧・降圧手段３は、同期整流方式の昇圧・降圧手段３であって、且つ、金属酸化膜半導体電界効果トランジスタ（Metal-Oxide-Semiconductor Field-Effect Transistor；MOSFET）型同期整流であるのが好ましい。図１及び図２に合わせて示すように、同期整流方式の昇圧・降圧手段３は、インダクタンス３７と、互いに同方向で直列に接続された２つの第１、第２のMOSFET３５、３６とを有し、第１、第２のMOSFET３５、３６は、１つの制御電極（符号を示さず）をそれぞれ有し、２つの制御電極が昇圧・降圧手段３の２つの制御端子３３、３４にそれぞれ電気的に接続され、直列に接続された第１、第２のMOSFET３５、３６の一方の端子が第２の調圧端子３２に電気的に接続され、他方の端子がアースに接続され、インダクタンス３７の一方の端子が第１の調圧端子３１に電気的に接続され、他方の端子が第１、第２のMOSFET３５、３６の間に電気的に接続されている。
【００２１】
第１の逆流防止器４は、入口端４１と、出口端４２と、制御端部４３とを有し、入口端４１及び出口端４２が前記バッテリ９３の放電端９３１と昇圧・降圧手段３の第１の調圧端子３１とにそれぞれ電気的に接続され、制御端部４３が論理制御手段１の第３の制御ピン（発射認識用のものとし）１３に電気的に接続されている。さらに論理制御手段１の第４の制御ピン１４がループ方式で第３の制御ピン１３に電気的に接続されたのがより好ましい、すなわち、図に示された発射保持回路１９（発射モードに持続的に保持するためのものとし）のようになる。
【００２２】
制御スイッチ５の一方の端がバッテリ９３の放電端９３１に電気的に接続され、他方の端が第１の逆流防止器４の制御端部４３と論理制御手段１の第３の制御ピン１３とに電気的に接続され、制御スイッチ５の他方の端と第１の逆流防止器４の制御端部４３との接続箇所に第２のノード４３１が形成されている。制御スイッチ５が自動復帰型スイッチであるのがより好ましい。
【００２３】
第２の逆流防止器４ａも、入口端４１と、出口端４２と、制御端部４３とを有し、出口端４２及び入口端４１が前記回路装置９１の保護回路９２の受電端９２１と昇圧・降圧手段３の第１の調圧端子３１とにそれぞれ電気的に接続され、制御端部４３が論理制御手段１の第５の制御ピン１５に電気的に接続されている。
【００２４】
第１の電気二重層コンデンサ６の一方の電極が前記回路装置９１の保護回路９２の受電端９２１と第２の逆流防止器４ａの出口端４２との接続箇所に電気的に接続され、そこで第１のノード６１を形成し、第１の電気二重層コンデンサ６の他方の電極がアースに接続されている。
【００２５】
より好ましいのが、本考案による双方向ワイヤレス充放電装置の第１実施例は、さらに、第３の逆流防止器４ｂを含み、第３の逆流防止器４ｂも、入口端４１と、出口端４２と、制御端部４３とを有し、出口端４２及び入口端４１が前記回路装置９１の保護回路９２の受電端９２１と第１のノード６１とにそれぞれ電気的に接続され、制御端部４３が論理制御手段１の第６の制御ピン１６に電気的に接続され、論理制御手段１の第６の制御ピン１６により制御信号を出力して第３の逆流防止器４ｂをオンまたはオフと制御することで、バッテリ９３を充電しているか否かを制御できる。次に、第２の電気二重層コンデンサ（図示せず）をさらに含み、第２の電気二重層コンデンサが前記バッテリ９３に並列に接続され、勿論、本考案の双方向ワイヤレス充放電装置が設置した電気二重層コンデンサは、前記第１の電気二重層コンデンサ６のみ、前記第２の電気二重層コンデンサ（図示せず）のみ、或いは、前記第１の電気二重層コンデンサ６と第２の電気二重層コンデンサとを共に設けても、何れも良い
【００２６】
第１の電気二重層コンデンサ６と第２の電気二重層コンデンサのインピーダンスがバッテリ９３より低いので、充電された時に電気二重層コンデンサを先に充電でき、充電する度に生じるサージを電気二重層コンデンサで遮断し、また、電気二重層コンデンサが満充電し易いので、直ちにバッテリ９３を充電することができる。
【００２７】
図１及び図２に合わせて示すように、各逆流防止器（４、４ａ、４ｂ）は、第１の抵抗４６と、互いに対向して直列に接続された２つの第１、第２のMOSFET４４、４５とを有し、直列に接続された２つのMOSFETの両端は、前記逆流防止器の入口端４１と出口端４２であり、第１、第２のMOSFET４４、４５は、それぞれ、１つの制御電極（符号を示さず）を有し、２つの制御電極が逆流防止器の制御端部４３に電気的に接続され、第１の抵抗４６の一方の端が第１、第２のMOSFET４４、４５の間に電気的に接続され、他方の端も逆流防止器の制御端部４３に電気的に接続されている。また、各逆流防止器（４、４ａ、４ｂ）は、トランジスタ４７と、第２の抵抗４８とをさらに有し、トランジスタ４７の第１電極が第１、第２のMOSFET４４、４５の制御電極（符号を示さず）に電気的に接続され、トランジスタ４７の第２電極がアースに接続され、第２の抵抗４８がトランジスタ４７の第３電極と逆流防止器の制御端部４３との間に電気的に接続されている。
【００２８】
本考案による双方向ワイヤレス充放電装置の第１実施例の発射モードについては、以下に述べる。
双方向ワイヤレス充放電装置が受取モードに予め設けられているので、発射モードに入ろうとしたら、制御スイッチ５を押して切り替えなければならない。
【００２９】
本考案の双方向ワイヤレス充放電装置が設けられた携帯型電子機器９が、自体の電力をワイヤレス方式で他の双方向ワイヤレス充電装置が設けられた電子機器に伝達しようとする場合に、まず、制御スイッチ５を押してオンさせ、バッテリ９３の電力が制御スイッチ５を通過した後に、第３の制御ピン（すなわち、発射認識制御ピン）１３に流され、論理制御手段１に只今発射モードに切り替えられると認識させる。元々第１の逆流防止器４に遮断されたバッテリ９３の電力が、制御スイッチ５がオンされたときに第１の逆流防止器４をオンして電力を通過させ、続いて、昇圧・降圧手段３の第１のMOSFET３５を介して論理制御手段１の電源ピン１７に接続され、論理制御手段１に電力を供給する。さらに、第２の逆流防止器４ａの遮断でバッテリ９３の電力が逆充電できなくなる。
【００３０】
論理制御手段１が現在発射モードであると認識したときに、発射保持回路（発射モードに持続的に保持するためのものとし）１９で第４の制御ピン１４の発射保持信号を第３の制御ピン１３に継続的に供給し、発射保持の効果を達し、発射状態に保持されることもできる。
【００３１】
論理制御手段１のセンシングピン１８は、アンテナが内蔵されたワイヤレス受取・発射手段２の相手側に充電しようとする電子機器が存在するか否かを検出し、検出されない場合に、論理制御手段１は発射を停止するよう制御し、当該検出はセンシングピン１８でワイヤレス受取・発射手段２の相手側に負荷が存在するか否かを検出する。
【００３２】
負荷ない場合に、発射を停止し、
負荷がある場合に、論理制御手段１は、その第１、第２の制御ピン１１、１２よりＰＷＭ（パルス幅変調）信号を出力して昇圧・降圧手段３における第１、第２のMOSFET３５、３６を駆動する。これらのＰＷＭ信号により第１、第２のMOSFET３５、３６が高い頻度で交互的にオンまたはオフを継続的に行うことができ、第２のMOSFET３６がオン、第１のMOSFET３５がオフとなる場合に、第２のMOSFET３６とバッテリ９３の一方の端とが何れもアースでループ線路に形成されるので、バッテリ９３の電力を第１の逆流防止器４と昇圧・降圧手段３のインダクタンス３７を介して第２のMOSFET３６に流され、インダクタンス３７を充電でき、第１のMOSFET３５がオン、第２のMOSFET３６がオフとなる場合に、バッテリ９３からの電力がインダクタンス３７を通過した後に、第１のMOSFET３５に流され、充電されたインダクタンス３７をワイヤレス受取・発射手段２を介して外部に放電させる。
【００３３】
言い換えれば、第１、第２のMOSFET３５、３６がオン／オフ及びオフ／オンの何れか一方であることにより、インダクタンス３７を受放電することができる。電流がワイヤレス受取・発射手段２内のコイルに流されると、該コイルが磁力線を発生し、相手側の電子機器が磁力線を感知してから電流に変換される。
【００３４】
発射のとき、バッテリ９３からワイヤレス受取・発射手段２まで、その間で通過した昇圧・降圧手段３内の第１、第２のMOSFET３５、３６の電圧が昇圧（例えば、３．６Ｖ〜４．２Ｖの直流電流から約５Ｖの交流電流に昇圧され）される一方、ワイヤレス受取・発射手段２からバッテリ９３までの電圧は、降圧となる。
【００３５】
前記第１、第２のMOSFET３５、３６のうち一つは、昇降圧のときを制御するもので、他方は同期整流を制御するものである。
【００３６】
本考案による双方向ワイヤレス充放電装置の第１実施例の受取モードについては、以下に述べる。
本考案の双方向ワイヤレス充放電装置が設けられた携帯型電子機器９のワイヤレス受取・発射手段２が相手側から発射された電力を受け取ったときに、まず電源ピン１７を介して論理制御手段１に電力を供給し、次に、受け取った電力が昇圧・降圧手段３を介して降圧される。
【００３７】
論理制御手段１は、さらに発射保持回路１９により第１の逆流防止器４をオフするよう制御可能とともに、論理制御手段１の第５の制御ピン１５から出力された制御信号により第２の逆流防止器４ａをオンするよう制御可能となるので、降圧された電力を第２の逆流防止器４ａとサージを吸収するための第１の電気二重層コンデンサ６（さらに第３の逆流防止器４ｂを介することがより好ましい）を介して携帯型電子機器９のバッテリ９３に電気を供給し、勿論、その間で保護回路９２の保護によりバッテリ９３の充電範囲を所定の範囲内（例えば、４〜６Ｖの直流電流）に規制されることもでき、バッテリ９３が満充電されると、保護回路９２により充電を停止するよう制御し、且つ、相手側の電子機器が負荷を検出されない場合にも、放電を自動的に停止することができる（放電ときに、自身のバッテリの電気量が一定の設定値より低くなったときも、放電を停止することができる）。
【００３８】
論理制御手段１が発射モードに切り替えられると、第４の制御ピン１４から発射保持信号を継続的に出力し、第１の逆流防止器４をオンするよう保持し、論理制御手段１が受取モードに切り替えられると、第５の制御ピン１５から受取保持信号を継続的に出力し、第２の逆流防止器４ａをオンするよう保持する。
【実施例２】
【００３９】
図３に示すように、本考案による第２実施例の双方向ワイヤレス充放電装置が第１実施例とは、第１実施例における制御スイッチ５が設けられず、第１実施例の制御スイッチ５の代わりに、携帯型電子機器９から出力された制御信号により制御する点で異なっている。
【００４０】
図のように、携帯型電子機器９の回路装置９１は、信号出力端９１１を有し、手動操作（例えば、携帯型電子機器９のボタンを押すことや、携帯型電子機器９のタッチパネル上のボタンをタッチすることなど）で回路装置９１の信号出力端９１１を介して制御信号を出力する。
【００４１】
本考案による双方向ワイヤレス充放電装置の第２実施例では、前記第１の逆流防止器４の第２のノード４３１が信号出力端９１１に電気的に接続され、信号出力端９１１から出力された制御信号により論理制御手段１（第３の制御ピン１３を介して）を発射モードに切り替える。
【００４２】
以上のように、本考案による携帯型電子機器の双方向ワイヤレス充放電装置は、電気二重層コンデンサの特別な設置位置と電気二重層コンデンサのインピーダンスがバッテリより低いとのことで、充電された時に電気二重層コンデンサを先に充電でき、充電する度に生じるサージを電気二重層コンデンサで遮断することにより、バッテリを充電する度に生じる累積的損壊を避けられ、第１、第２の逆流防止器４、４ａの逆流防止役割により、漏電が避けられ、省電力の効果を有し、昇圧・降圧手段２が同期整流方式の昇圧・降圧手段である（金属酸化膜半導体電界効果トランジスタ型同期整流（MOSFET型同期整流）がより好ましい）ことにより、昇降圧の効率を向上させ、第１〜第３の逆流防止器４、４ａ、４ｂも、第１、第２のMOSFET４４、４５を逆流防止として用い、またはスイッチの重要な部材とすることにより、オンの際に消費された電気が低くなるので、放電効率が高くなり、ワイヤレス充放電効率を向上させ、本考案の双方向ワイヤレス充放電装置が双方向ワイヤレス充放電型であるため、本考案の双方向ワイヤレス充放電装置が設けられた携帯型電子機器が、ワイヤレス充電やワイヤレス放電の何れも可能となることを特徴とする。
【００４３】
以上の説明は、単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００４４】
１          論理制御手段
２          ワイヤレス受取・発射手段
３          昇圧・降圧手段
４          第１の逆流防止器
４ａ        第２の逆流防止器
４ｂ        第３の逆流防止器
５          制御スイッチ
６          第１の電気二重層コンデンサ
９          携帯型電子機器
１１〜１６  第１〜第６の制御ピン
１７        電源ピン
１８        センシングピン
１９        発射保持回路
２１        伝送端子
２２        被検出端子
３１        第１の調圧端子
３２        第２の調圧端子
３３、３４  制御端子
３５、３６  第１、第２のMOSFET
３７        インダクタンス
４１        入口端
４２        出口端
４３        制御端部
４４、４５  第１、第２のMOSFET
４６        第１の抵抗
４７        トランジスタ
４８        第２の抵抗
６１        第１のノード
９１        回路装置
９２        保護回路
９３        バッテリ
４３１      第２のノード
９１１      信号出力端
９２１      受電端
９３１      放電端
【図１】
0003174449.tif 000003
【図２】
0003174449.tif 000004
【図３】
0003174449.tif 000005